(57)【要約】【課題】電気光学装置のオフシーケンス時間を使用状況に応じて変更する。【解決手段】画素電極と、共通電極と、前記画素電極及び前記共通電極との間に挟持された電気光学物質とを有する電気光学装置１は、電源がオン状態になってから、電源をオフ状態に遷移させることを示す電源操作信号Ｃｄｉを検知するまでの使用時間を計時する計時回路５００と、温度を検出する温度センサ６０と、画素電極の電位と共通電極の電位とを近づけるオフシーケンス処理を、使用時間及び温度に応じた時間だけ実行する制御回路６００とを備える。【選択図】図１
2015049373.tif 000002
【特許請求の範囲】
【請求項１】
画素電極と、共通電極と、前記画素電極及び前記共通電極との間に挟持された電気光学物質とを有する電気光学装置であって、
電源がオン状態になってから、電源をオフ状態に遷移させることを示す信号を検知するまでの使用時間を計時する計時部と、
前記画素電極の電位と前記共通電極の電位とを近づけるオフシーケンス処理を、前記使用時間に応じた時間だけ実行する制御部と、
を備えることを特徴とする電気光学装置。
【請求項２】
前記制御部は、前記使用時間が長くなる程、オフシーケンス処理を実行する時間を長くする、ことを特徴とする請求項１に記載の電気光学装置。
【請求項３】
画素電極と、共通電極と、前記画素電極及び前記共通電極との間に挟持された電気光学物質とを有する電気光学装置であって、
電源をオフ状態に遷移させることを示す信号を検知した時点の温度を検出する温度検出部と、
前記画素電極の電位と前記共通電極の電位とを近づけるオフシーケンス処理を、前記温度検出部で検出した温度に応じた時間だけ実行する制御部と、
を備えることを特徴とする電気光学装置。
【請求項４】
前記制御部は、前記温度が高くなる程、オフシーケンス処理を実行する時間を長くする、ことを特徴とする請求項３に記載の電気光学装置。
【請求項５】
画素電極と、共通電極と、前記画素電極及び前記共通電極との間に挟持された電気光学物質とを有する電気光学装置であって、
電源がオン状態になってから、電源をオフ状態に遷移させることを示す信号を検知するまでの使用時間を計時する計時部と、
電源をオフ状態に遷移させることを示す信号を検知した時点の温度を検出する温度検出部と、
前記画素電極の電位と前記共通電極の電位とを近づけるオフシーケンス処理を、前記使用時間及び前記温度検出部で検出した温度に応じた時間だけ実行する制御部と、
を備えることを特徴とする電気光学装置。
【請求項６】
複数の電気光学パネルと制御部とを備えた電子機器であって、
前記複数の電気光学パネルの各々は、
画素電極と、共通電極と、前記画素電極及び前記共通電極との間に挟持された電気光学物質と、
電源をオフ状態に遷移させることを示す信号を検知した時点の温度を検出する温度検出部とを、備え、
前記制御部は、前記複数の電気光学パネルの各々に設けられた前記温度検出部で検出された温度のうち、最も高い温度に応じた時間だけ、前記画素電極の電位と前記共通電極の電位とを近づけるオフシーケンス処理を実行するように前記複数の電気光学パネルを制御する、
ことを特徴とする電子機器。
【請求項７】
Ｇ色に対応する電気光学パネルを含む複数の電気光学パネルと、制御部とを備えた電子機器であって、
前記複数の電気光学パネルの各々は、画素電極と、共通電極と、前記画素電極及び前記共通電極との間に挟持された電気光学物質とを備え、
前記Ｇ色に対応する電気光学パネルは温度を検出する温度検出部を備え、
前記制御部は、電源をオフ状態に遷移させることを示す信号を検知した時点において前記温度検出部で検出された温度に応じた時間だけ、前記画素電極の電位と前記共通電極の電位とを近づけるオフシーケンス処理を実行するように前記複数の電気光学パネルを制御する、
ことを特徴とする電子機器。
【請求項８】
画素電極と、共通電極と、前記画素電極及び前記共通電極との間に挟持された電気光学物質とを有する電気光学装置の制御方法であって、
電源がオン状態になってから、電源をオフ状態に遷移させることを示す信号を検知するまでの使用状況を検知し、
前記画素電極の電位と前記共通電極の電位とを近づけるオフシーケンス処理を、検知した使用状況に応じた時間だけ実行する、
ことを特徴とする電気光学装置の制御方法。
【発明の詳細な説明】
【技術分野】
【０００１】
本発明は、電気光学装置、電子機器、及び電気光学装置の制御方法に関する。
【背景技術】
【０００２】
液晶表示装置では、画素電極と共通電極との間に液晶を挟持するように構成される。液晶容量に直流電圧を印加すると、残像が発生する原因となり、表示品質の低下や、長期信頼性を損なうことが知られている。その一因として、液晶表示装置の製造時に、電極間に液晶を封入する工程で微量のイオン性物質が混入してしまう点が考えられる。イオン性物質が封入されていても、理想的な交流信号が電極間に印加されていればイオン性物質は電極上に集積せず、液晶分子の配向に影響を及ぼすことはない。
【０００３】
しかし、電極間へ印加される電圧に直流成分が含まれていると、イオン性物質がいずれかの電極へと引き付けられ、電極上に集積してしまう。このようにイオン性物質が電極上に集積すると、電極間に表示すべき階調に応じた交流信号を印加しても、液晶に印加される電圧は電極上に集積されたイオン性物質の影響を受けるため、実際とは異なる電圧によって液晶分子の配向が制御されることとなる。このためイオン性物質が多量に電極上に重畳すると液晶への印加電圧が大きく変化してしまい、イオン性物質が電極上に重畳していない他の画素との輝度差が大きくなる。これが残像として視認される。
【０００４】
ところで、利用者が液晶表示装置の電源をオフに操作すると、各種信号（走査線駆動信号、データ線駆動信号等）の液晶表示パネルへの供給が切断され、液晶表示パネルの液晶容量に蓄えられていた電荷の外部放電経路は遮断される。その後、電荷は自己放電により徐々に減少し、表示画像は次第にクリアされていくが、液晶容量に電荷を蓄積させた状態が長時間保持されると、残像が発生する原因となる。
【０００５】
このような問題を解決するために特許文献１には、入力信号の無入力状態を検出してから所定時間だけ、液晶容量に蓄積されている電荷を強制的に放電させるべく、所定電位のデータ信号を画素電極に書き込むことにより、液晶に直流電圧を印加する時間を短くする技術が開示されている。
【先行技術文献】
【特許文献】
【０００６】
【特許文献１】特開２００１−２０９３５５号公報
【発明の概要】
【発明が解決しようとする課題】
【０００７】
ところで、焼き付きの原因となるイオン性物質が画素電極や共通電極に集積する程度は、温度や使用時間などの使用状況によって変化する。しかしながら、従来の液晶表示装置では、使用状況に関わらず一定時間だけ液晶容量に蓄積された電荷を放電させていたので、放電が十分でなく焼き付きの原因となるイオン性物質が電極に残存したり、あるいは、電荷の放電が終了しているのにデータ信号を無駄に書き込む可能性があった。
本発明は、上述した事情に鑑みてなされたものであり、電源をオフする際に各種の容量に蓄積された電荷を適切に放電させることなどを解決課題とする。
【課題を解決するための手段】
【０００８】
上述した課題を解決するために、本発明に係る電気光学装置の一態様は、画素電極と、共通電極と、前記画素電極及び前記共通電極との間に挟持された電気光学物質とを有するものであって、電源がオン状態になってから、電源をオフ状態に遷移させることを示す信号を検知するまでの使用時間を計時する計時部と、前記画素電極の電位と前記共通電極の電位とを近づけるオフシーケンス処理を、前記使用時間に応じた時間だけ実行する制御部とを備える。
【０００９】
この電気光学装置の一態様によれば、使用時間に応じてオフシーケンス処理を実行する時間を可変するので、画素電極と共通電極との間の容量に蓄積された電荷を確実に放電させることができる。また、製造工程でイオン性物質が電気光学装置に封入され、使用時間に応じた量が電極に集積されたとしても、使用時間に応じた時間だけオフシーケンス処理を実行するので、表示品質及び装置の信頼性を向上させることができる。
【００１０】
ここで、前記制御部は、前記使用時間が長くなる程、オフシーケンス処理を実行する時間を長くすることが好ましい。使用時間が長くなる程、イオン性物質は電極に集積する量が大きくなるからである。また電気光学物質は、電気エネルギーによって光学特性が変化する物質であり、例えば、液晶や有機ＥＬ等が該当する。
【００１１】
本発明に係る電気光学装置の他の態様は、画素電極と、共通電極と、前記画素電極及び前記共通電極との間に挟持された電気光学物質とを有するものであって、電源をオフ状態に遷移させることを示す信号を検知した時点の温度を検出する温度検出部と、前記画素電極の電位と前記共通電極の電位とを近づけるオフシーケンス処理を、前記温度検出部で検出した温度に応じた時間だけ実行する制御部と、  を備える。
【００１２】
この電気光学装置の他の態様によれば、温度に応じてオフシーケンス処理を実行する時間を可変するので、画素電極と共通電極との間の容量に蓄積された電荷を確実に放電させることができる。また、製造工程でイオン性物質が電気光学装置に封入され、温度に応じた量が電極に集積されたとしても、温度に応じた時間だけオフシーケンス処理を実行するので、表示品質及び装置の信頼性を向上させることができる。
ここで、前記制御部は、前記温度が高くなる程、オフシーケンス処理を実行する時間を長くすることが好ましい。温度が高くなる程、イオン性物質は電極に集積する量が大きくなるからである。
【００１３】
本発明に係る電気光学装置の他の態様は、画素電極と、共通電極と、前記画素電極及び前記共通電極との間に挟持された電気光学物質とを有するものであって、電源がオン状態になってから、電源をオフ状態に遷移させることを示す信号を検知するまでの使用時間を計時する計時部と、電源をオフ状態に遷移させることを示す信号を検知した時点の温度を検出する温度検出部と、前記画素電極の電位と前記共通電極の電位とを近づけるオフシーケンス処理を、前記使用時間及び前記温度検出部で検出した温度に応じた時間だけ実行する制御部と、を備えることを特徴とする。
この態様によれば、使用時間と温度の双方に応じた時間だけオフシーケンス処理を実行するので、表示品質及び装置の信頼性をより向上させることができる。
【００１４】
次に、本発明に係る電子機器の一態様は、複数の電気光学パネルと制御部とを備えたものであり、前記複数の電気光学パネルの各々は、前記画素電極及び前記共通電極との間に挟持された電気光学物質と、電源をオフ状態に遷移させることを示す信号を検知した時点の温度を検出する温度検出部とを備え、前記制御部は、前記複数の電気光学パネルの各々に設けられた前記温度検出部で検出された温度のうち、最も高い温度に応じた時間だけ、前記画素電極の電位と前記共通電極の電位とを近づけるオフシーケンス処理を実行するように前記複数の電気光学パネルを制御する。
この電子機器の一態様によれば、複数の電気光学パネルの各々の使用状況によって温度がばらつくが、最も高い温度に応じた時間だけオフシーケンス処理を実行するので、全ての電気光学パネルについてイオン性物質の電極への集積を解消することが可能となる。
【００１５】
次に、本発明に係る他の電子機器は、Ｇ色に対応する電気光学パネルを含む複数の電気光学パネルと、制御部とを備えたものであって、前記複数の電気光学パネルの各々は、画素電極と、共通電極と、前記画素電極及び前記共通電極との間に挟持された電気光学物質とを備え、前記Ｇ色に対応する電気光学パネルは温度を検出する温度検出部を備え、前記制御部は、電源をオフ状態に遷移させることを示す信号を検知した時点において前記温度検出部で検出された温度に応じた時間だけ、前記画素電極の電位と前記共通電極の電位とを近づけるオフシーケンス処理を実行するように前記複数の電気光学パネルを制御する、ことを特徴とする。
Ｇ色に対応する電気光学パネルは、他の色に比較して輝度が高いので、最も温度が高くなるところ、この発明に係る他の電子機器によれば、最も温度が高くなるＧ色の電気光学装置には温度検出部を設けて温度を検出するが、他の電気光学装置については、温度検出部を設ける必要がない。従って、電子機器の構成を簡素化することが可能となる。
【００１６】
次に、本発明に係る電気光学装置の制御方法の一態様は、画素電極と、共通電極と、前記画素電極及び前記共通電極との間に挟持された電気光学物質とを有する電気光学装置を制御する方法であって、  電源がオン状態になってから、電源をオフ状態に遷移させることを示す信号を検知するまでの使用状況を検知し、前記画素電極の電位と前記共通電極の電位とを近づけるオフシーケンス処理を、検知した使用状況に応じた時間だけ実行することを特徴とする。
この態様によれば、使用状況に応じた時間だけ、オフシーケンス処理を実行するので、画素電極と共通電極との間の容量に蓄積された電荷を確実に放電させることができる。また、製造工程でイオン性物質が電気光学装置に封入され、使用状況に応じた量が電極に集積されたとしても、使用状況に応じた時間だけオフシーケンス処理を実行するので、表示品質及び装置の信頼性を向上させることができる。
【図面の簡単な説明】
【００１７】
【図１】本発明の実施形態に係る電気光学装置の構成を示すブロック図である。
【図２】液晶パネルＡＡにおける画像表示領域Ａの構成の一例を示す回路図である。
【図３】同装置の走査線駆動回路１００およびデータ線駆動回路２００の動作の一例を示すタイミングチャートである。
【図４】同装置の制御回路の動作を示すフローチャートである。
【図５】オフシーケンス処理を説明するためのタイミングチャートである。
【図６】応用例に係るデジタルカメラを背面側から見た外観斜視図である。
【図７】応用例に係るデジタルカメラの電気的構成を示すブロック図である。
【図８】応用例に係る投射型表示装置の構造を示す説明図である。
【図９】応用例に係る投射型表示装置の電気的構成を示すブロック図である。
【図１０】変形例に係るオフシーケンス時間を説明するための説明図である。
【発明を実施するための形態】
【００１８】
＜実施形態＞
図１に、液晶パネルＡＡを用いた電気光学装置１の構成を示す。電気光学装置１は、液晶パネルＡＡ及び駆動制御部Ｄを備える。液晶パネルＡＡは、スイッチング素子として薄膜トランジスタ（Thin Film Transistor：以下、「ＴＦＴ」と称する）を形成した素子基板と対向基板とを互いに電極形成面を対向させて、かつ、一定の間隙を保って貼付し、この間隙に液晶が挟持されている。液晶パネルＡＡは、その素子基板上に画像表示領域Ａ、走査線駆動回路１００、データ線駆動回路２００、及び温度センサ６０を備える。画像表示領域Ａには、複数の画素回路Ｐ１がマトリクス状に形成されており、画素回路Ｐ１ごとに透過率を制御することができる。図示せぬバックライトからの光は、画素回路Ｐ１を介して射出される。これによって、光変調による階調表示が可能となる。また、温度センサ６０は表示画像に影響を及ぼさないように画像表示領域Ａの外に設けられているが、液晶の温度が検出できるように素子基板に形成されている。
【００１９】
画像表示領域Ａには、図２に示されるように、ｍ（ｍは２以上の自然数）本の走査線２が、Ｘ方向に沿って平行に配列して形成される一方、ｎ（ｎは２以上の自然数）本のデータ線３が、Ｙ方向に沿って平行に配列して形成されている。そして、走査線２とデータ線３との交差付近においては、ＴＦＴ５０のゲートが走査線２に接続される一方、ＴＦＴ５０のソースがデータ線３に接続されるとともに、ＴＦＴ５０のドレインが画素電極６に接続される。そして、各画素は、画素電極６と、対向基板に形成される対向電極（後述する）と、これら両電極間に挟持された液晶とによって構成される。この結果、走査線２とデータ線３との各交差に対応して、画素はマトリクス状に配列されることとなる。
また、ＴＦＴ５０のゲートが接続される各走査線２には、走査信号Ｙ１、Ｙ２、…、Ｙｍが、パルス的に線順次で印加される。このため、ある走査線２に走査信号が供給されると、当該走査線に接続されるＴＦＴ５０がオンするので、データ線３から所定のタイミングで供給されるデータ信号Ｘ１、Ｘ２、…、Ｘｎは、対応する画素に順番に書き込まれた後、所定の期間保持されることとなる。
【００２０】
画素回路Ｐ１では、各画素に印加される電圧レベルに応じて液晶分子の配向や秩序が変化するので、光変調による階調表示が可能となる。例えば、液晶を通過する光量は、ノーマリーホワイトモードであれば、印加電圧が高くなるにつれて制限される一方、ノーマリーブラックモードであれば、印加電圧が高くなるにつれて緩和されるので、液晶パネルＡＡ全体では、画像信号に応じたコントラストを持つ光が各画素毎に出射される。このため、所定の表示が可能となる。
また、保持された画像信号がリークするのを防ぐために、蓄積容量５１が、画素電極６と対向電極との間に形成される液晶容量と並列に付加される。例えば、画素電極６の電圧は、ソース電圧が印加された時間よりも３桁も長い時間だけ蓄積容量５１により保持されるので、保持特性が改善される結果、高コントラスト比が実現される。
【００２１】
次に、駆動制御部Ｄについて説明する。図１に示されるように、駆動制御部Ｄは、時間を計測する計時回路５００、電気光学装置１全体を制御する制御回路６００、液晶パネルＡＡ及び駆動制御部Ｄの各構成要素に電源を供給するとともに、液晶パネルＡＡの共通電極に共通電位Ｖｃｏｍを供給する電源回路７００、各種のタイミング制御信号を発生するタイミング発生回路８００、入力画像データＤinにガンマ補正を施して画像信号ＶＩＤを生成する画像信号生成回路９００、温度及び使用時間とオフシーケンス時間とを対応づけて記憶したテーブルＴＢＬを備える。
【００２２】
また、制御回路６００には、利用者が電源スイッチを操作してオンからオフに切り替えたことを検知した結果を示す電源操作信号Ｃdiが供給される。電源操作信号Ｃdiは、利用者が電源オフの状態で電源オンの操作を行うと、ＬレベルからＨレベルに変化し、利用者が電源オンの状態で電源オフの操作を行うと、ＨレベルからＬレベルに変化する。
【００２３】
図３に、走査線駆動回路１００とデータ線駆動回路２００のタイミングチャートを示す。走査線駆動回路１００は、１フレーム（１Ｆ）周期のＹ転送開始パルスＤＹを、Ｙクロック信号ＹＣＫに従って順次シフトして走査信号Ｙ１、Ｙ２、…Ｙｍを生成する。走査信号Ｙ１〜Ｙｍは各水平走査期間（１Ｈ）において順次アクティブとなる。データ線駆動回路２００は、水平走査周期のＸ転送開始パルスＤＸをＸクロック信号ＸＣＫに従って転送して、サンプリング信号Ｓ１、Ｓ２、…Ｓｎを内部的に生成する。そして、データ線駆動回路２００は、画像信号ＶＩＤをサンプリング信号Ｓ１、Ｓ２、…Ｓｎを用いてサンプリングしてデータ信号Ｘ１、Ｘ２、…Ｘｎを生成する。
【００２４】
制御回路６００は、利用者が電源スイッチをオフに操作しても直ちに電源を遮断するのではなく、共通電極に供給する共通電位Ｖｃｏｍをグランド電位に設定するとともに、画素電極５１にグランド電位を供給するオフシーケンス処理を実行する。オフシーケンス処理によって、液晶容量に蓄積された電荷が放電され、焼き付きを防止することができる。
焼き付きの原因は、液晶を封入する工程で混入するイオン性物質が、直流印加によって、共通電極又は画素電極６に集積してしまうからである。即ち、集積したイオン性物質によって、実際とは異なる電圧で液晶分子の配向が制御されるのである。ここで、イオン性物質が画素電極６や共通電極に集積する程度は、温度や使用時間などの使用状況によって変化する。温度が高い場合には、集積の程度が大きくなり、また、使用時間が長い場合にも集積の程度が大きくなる。
本実施形態では、使用状況に応じてオフシーケンス処理を実行するオフシーケンス時間が定まる。より具体的には、制御回路６００は、温度センサ６０によって検出された液晶の温度、及び計時回路５００によって計時された使用時間に基づいて、オフシーケンス時間を決定している。
【００２５】
図４は制御回路の動作を示すフローチャートである。制御回路６００は、電源操作信号Ｃdiを監視し、利用者の電源オンの操作を検知したか否かを判定し(ステップＳ１)、電源オンの操作を検知するまで繰り返す。電源操作信号ＣdiがＬレベルからＨレベルに遷移すると、制御回路６００は電源オンの操作を検知して、電源オン処理を実行する(ステップＳ２)。電源オン処理において、制御回路６００は電源供給を開始することを指示する電源制御信号Ｖｃを電源回路７００に供給する。すると、電源回路７００は共通電極に共通電位Ｖｃｏｍを供給すると共に、各部の電源を供給する。次に、制御回路６００は計時回路５００に計時を開始させる(ステップＳ３)。これにより、計時回路５００は、電源がオンされてからの時間の計測を開始する。
【００２６】
この後、制御回路６００は、電源操作信号Ｃdiを監視し、利用者の電源オフの操作を検知したか否かを判定し(ステップＳ４)、電源オフの操作を検知するまで処理を繰り返す。電源操作信号ＣdiがＨレベルからＬレベルに遷移すると、制御回路６００は電源オフの操作を検知する。次に、制御回路６００は、計時回路５００を参照して使用時間を取得する(ステップＳ５)。続いて、制御回路６００は、温度センサ６０から出力される温度信号に基づいて液晶の温度を取得する(ステップＳ６)。
【００２７】
次に、制御回路６００は、使用時間及び温度に基づいてオフシーケンス時間を決定する(ステップＳ７)。具体的には、制御回路６００は、テーブルＴＢＬを参照して、使用時間及び温度に対応づけて記憶されたオフシーケンス時間を読み出す。使用時間が同じであれば温度が高くなる程、オフシーケンス時間は長くなり、温度が同じであれば使用時間が長くなる程、オフシーケンス時間が長くように設定されている。
【００２８】
次に、制御回路６００はオフシーケンス処理を開始する。具体的には、制御回路６００は計時回路５００に計時を開始させる。また、制御回路６００は、共通電位Ｖｃｏｍとしてグランド電位を供給するように電源回路７００を制御するとともに画像信号ＶＩＤとしてグランド電位を供給するように画像信号生成回路９００を制御する。即ち、オフシーケンス処理では、画素電極の電位と共通電極の電位とを近づける処理が行われる。
【００２９】
図５に示すように、時刻ｔ０において電源操作信号Ｃdiが立ち下がると、オフシーケンス処理が開始する。画像信号生成回路９００には制御信号ＣＴＬが供給される。制御信号ＣＴＬはオフシーケンス時間においてＨレベルとなる。画像信号生成回路９００は、制御信号ＣＴＬがＨレベルとなる期間、画像信号ＶＩＤとしてグランド電位を生成する。この結果、オフシーケンス時間においては、グランド電位がデータ線３を介して各画素回路Ｐ１の画素電極６に書き込まれることになる。一方、この例では共通電位Ｖｃｏｍは、表示すべき階調に応じたデータ電位を画素回路Ｐ１に書き込む期間においてグランド電位であるので、オフシーケンス時間ではグランド電位を維持する。なお、選択トランジスタ５０の特性を考慮して、データ電位を画素回路Ｐ１に書き込む期間において共通電位Ｖｃｏｍをグランド電位から若干オフセットさせることがある。この場合は、オフシーケンス時間においてグランド電位を共通電極及び画素電極に供給する。これは、電源がオフ状態になると、放電によって画素電極の電位及び共通電極の電位がグランド電位に漸近していくからである。
【００３０】
説明を図４に戻す。制御回路６００は、ステップＳ８が終了すると、オフシーケンス時間が経過したか否かを判定する(ステップＳ９)。具体的には、計時回路５００の計時結果を監視し、これがオフシーケンス時間と一致するか否かを判定する。オフシーケンス時間が経過すると、ステップＳ９の判定結果はＹＥＳとなり、制御回路６００は電源回路７００に対して電源をオフすることを指示する電源制御信号Ｖｃを供給する。電源回路７００は電源制御信号Ｖｃの立ち下がりエッジを検知して電源の供給を停止する。
【００３１】
このように本実施形態によれば、使用時間や温度といった使用状況に応じてオフシーケンス時間を設定したので、使用時間が長い場合や温度が高い場合には、オフシーケンス時間を長くして電極に集積したイオン性物質を十分解消する。一方、使用時間が短い場合や温度が低い場合には、オフシーケンス時間を短くするので、消費電力を低減すると共に、利用者の利便性を向上することができる。
【００３２】
＜応用例＞
上述した電気光学装置１は、各種の電子機器に応用することができる。
図６は、本発明の実施形態に係る電気光学装置１を用いたデジタルカメラ１０００（撮像装置）を背面側から見た外観斜視図であり、図７はデジタルカメラ１０００のブロック図である。同図に示されるように、デジタルカメラ１０００は、レンズ１１、撮像素子１２、処理回路１３、表示部１６、記憶部１７、操作部１８、及び各部を制御するＣＰＵ１５を備える。撮像素子１２はレンズ１１が捉えた被写体から光学像を受光して電気信号に変換するものであり、処理回路１３は撮像素子１２から出力された電気信号をデジタル画像信号に変換するものである。デジタル画像は、ＣＰＵ１５の制御のもと、表示部１６や記憶部１７、図示せぬメモリカード等に送られて処理される。
【００３３】
表示部１６は、デジタルカメラ１０００の背面に配設されるＬＣＤ（Liquid Crystal Display）表示部であり、撮影時に被写体の観察画像（撮像画像）を表示したり、メモリカードに記録されている撮影画像を再生表示するのに用いられる。
記憶部１７の不揮発性のメモリ（例えば、フラッシュメモリ）と揮発性のメモリ（例えば、ＲＡＭ：Random Access Memory）とを有する。前者にはカメラに各種の動作をさせるためのカメラプログラム等が記憶されており、後者はＣＰＵ１５のワークエリアとして使用される。
操作部１８は、レリーズボタン１８ａ、電源ボタン１８ｂ、カーソルボタン/決定ボタン１８ｃ、及びその他の操作ボタン（不図示）を有し、ＣＰＵ１５は、各種ボタンによる指示に基づいて、電源のオン／オフ制御、表示部１６における表示画像の切り替え等の各種制御を行う。
【００３４】
デジタルカメラ１０００の背面には、撮影者が覗き込むための接眼部２０ａが設けられており、接眼部２０ａに対応する本体の内部には、電子ビューファインダー（ＥＶＦ: Electronic View Finder）２０とが設けられている。ＥＶＦ２０は、液晶パネルＡＡと、液晶パネルＡＡを駆動する駆動制御部Ｄとを備え、上述した電気光学装置１に相当する。
【００３５】
図８は、本発明の実施形態に係る電気光学装置１を用いた投射型表示装置（３板式のプロジェクター）４０００の構成を示す模式図であり、図９は投射型表示装置４０００の電気的な構成の主要部を示すブロック図である。この投射型表示装置４０００は、相異なる表示色Ｒ、Ｇ、Ｂに各々対応する３個の電気光学装置１Ｒ，１Ｇ，１Ｂを含んでいる。但し、電気光学装置１Ｒ，１Ｇ，１Ｂは、図１に示す電気光学装置１からテーブルＴＢＬ、制御回路６００及び計時回路５００を除いて構成されている。
【００３６】
照明光学系４００１は、照明装置（光源）４００２からの出射光のうち赤色成分ｒを電気光学装置１Ｒに供給し、緑色成分ｇを電気光学装置１Ｇに供給し、青色成分ｂを電気光学装置１Ｂに供給する。各電気光学装置１Ｒ，１Ｇ，及び１Ｂは、照明光学系４００１から供給される各単色光を表示画像に応じて変調する光変調器（ライトバルブ）として機能する。投射光学系４００３は、各電気光学装置１Ｒ，１Ｇ，及び１Ｂからの出射光を合成して投射面４００４に投射する。
【００３７】
図９に示すように制御回路６００及びテーブルＴＢＬは、電気光学装置１Ｒ、１Ｇ、及び１Ｂに共通して設けられている。ここで、電気光学装置１Ｒ、１Ｇ、及び１Ｂの使用時間は共通するが、温度は相違する。従って、各電気光学装置１Ｒ、１Ｇ、及び１Ｂに対応するオフシーケンス時間も異なる。制御回路６００は、各装置のオフシーケンス時間を最も長いオフシーケンス時間に設定する。例えば、Ｒ色に対応する電気光学装置１Ｒのオフシーケンス時間が１００フレーム、Ｇ色に対応する電気光学装置１Ｇのオフシーケンス時間が２２０フレーム、Ｂ色に対応する電気光学装置１Ｂのオフシーケンス時間が１３０フレームであった場合、全ての電気光学装置１Ｒ、１Ｇ、及び１Ｂのオフシーケンス時間を２２０フレームに設定する。
【００３８】
このように、最も長いオフシーケンス時間を採用した理由は以下の通りである。ＲＧＢ各色で、オフシーケンス時間が異なるため、別々にオフシーケンス時間を設定したとしても、最も長いオフシーケンス時間が終了するまで、装置全体の電源はオフ状態とならない。一方、最も長いオフシーケンス時間に揃えるようにオフシーケンス処理を実行したとしても、液晶容量の放電が繰り返されるので、不都合がないからである。
【００３９】
ところで、ＲＧＢ各色に対応する電気光学装置１Ｒ、１Ｇ、及び１Ｂのうち、Ｇ色に対応する電気光学装置１Ｇの温度が最も高くなることが多い。これは、人の目の感度はＲ色及びＢ色と比較してＧ色が高く、電気光学装置１Ｇの輝度が電気光学装置１Ｒ及び１Ｂと比較して高いからである。そこで、電気光学装置１Ｇの温度に基づいて決定したオフシーケンス時間を、電気光学装置１Ｒ及び１Ｂに適用してもよい。この場合には、電気光学装置１Ｒ及び１Ｂに温度センサ６０を設ける必要がない。よって、構成を簡素化することができる。
【００４０】
＜変形例＞
本発明は、上述した実施形態及び応用例に限定されるものではなく、以下に述べる各種の変形が可能である。また、各実施形態及び各応用例と各変形例を適宜組み合わせてもよい。
（１）上述した実施形態では、使用状況の一例として、電源をオフ状態に遷移させることを示す信号を検知した時点の温度を取り上げて説明したが、本発明はこれに限定されるものでなく、電源がオン状態になってから、電源をオフ状態に遷移させることを示す信号を検知するまでの温度履歴に応じてオフシーケンス処理を実行する時間を定めてもよい。例えば、温度履歴が関数Ｔ（ｔ）で与えられ、図１０に示すように変化し、時刻ｔ０において電源がオン状態となり、時刻ｔ１において電源をオフ状態に遷移させる信号が検知されたとする。この場合、図１０に示す斜線部分の面積に応じてオフシーケンス時間を定めてもよい。より具体的には、図１０に示す式１に従ってオフシーケンス時間を定める。この場合も、使用時間が長く、温度が高くなる程オフシーケンス時間を長くすることが好ましい。
【００４１】
（２）上述した実施形態では、使用時間及び温度といった２つの要素に基づいて、オフシーケン時間を決定したが、本発明は、これに限定されるものではなく、いずれか一方に基づいてオフシーケン時間を決定してもよい。例えば、使用時間に応じてオフシーケン時間を定めてものよいし、温度に応じてオフシーケン時間を定めてものよい。この場合、使用時間が長くなる程オフシーケンス時間を長くし、温度が高くなる程オフシーケンス時間を長くすることが好ましい。
【００４２】
（３）上述した実施形態では、使用状況の一例として使用時間及び温度を取り上げて説明したが、本発明はこれに限定されるものでなく、電気光学装置の使用状況に応じてオフシーケンス処理を実行する時間を定めてもよい。使用状況には、電気光学物質たる液晶の物性や製造工程であってもよい。要は、イオン性物質の集積に関係する電気光学装置の使用状況であればどのようなものを計測し、計測結果に応じてオフシーケンス処理の時間を定めてもよい。
また、上述した実施形態では、テーブルＴＢＬを参照してオフシーケンス時間を定めたが、本発明はこれに限定されるものではなく、演算によってオフシーケンス時間を定めてもよい。
【００４３】
（４）また、実施形態及び変形例では、液晶パネルＡＡを用いることを前提としたが、本発明はこれに限定されるものではなく、画像表示の終了から電源オフまでの間に、オフシーケンス処理を行うことが好ましい表示パネルに適用可能である。例えば、電気エネルギーによって光学特性が変化する電気光学物質として有機ＥＬ（Electroluminescence）を用いた有機ＥＬパネルであってもよい。
有機ＥＬパネルの画素は、有機ＥＬ素子と当該有機ＥＬ素子に電流を供給する駆動トランジスタを備える。有機ＥＬ素子に流れる電流は、駆動トランジスタのゲート電圧によって定まる。このため、オフシーケンス処理においてゲート電圧を所定電圧に設定することが好ましい。
すなわち、本発明は、液晶パネルＡＡや有機ＥＬパネルなどのように電気光学物質を備えた電気光学パネルに適用することができる。
【符号の説明】
【００４４】
２…走査線、３…データ線、６…画素電極、２０…ＥＶＦ、１００…走査線駆動回路、２００…データ線駆動回路、５００…計時回路、６００…制御回路（制御部）、７００…電源回路、８００…タイミング発生回路、９００…画像信号生成回路、ＴＢＬ…テーブル、ＡＡ…液晶パネル、Ｃdi…電源操作信号、Ｄ…駆動制御部、Ｐ１…画素回路、１０００…デジタルカメラ、４０００…投射型表示装置。
【図１】
2015049373.tif 000003
【図２】
2015049373.tif 000004
【図３】
2015049373.tif 000005
【図４】
2015049373.tif 000006
【図５】
2015049373.tif 000007
【図６】
2015049373.tif 000008
【図７】
2015049373.tif 000009
【図８】
2015049373.tif 000010
【図９】
2015049373.tif 000011
【図１０】
2015049373.tif 000012